(57)【要約】【課題】カバーを小型化する。【解決手段】本開示のレバー式コネクタ１０は、電線２４と、ハウジング１４と、カバー３２と、レバー１６と、結束バンド４４と、を備えたレバー式コネクタ１０であって、レバー１６は、ハウジング１４に対して回動可能に取り付けられ、レバー１６は、嵌合開始位置と嵌合完了位置との間を回動可能とされ、カバー３２は、ハウジング１４から引き出された電線２４をその引き出し方向とは異なる方向に曲げて導出させる電線導出部３４と、電線２４を電線導出部３４に固定させる電線固定部３６と、を備え、電線固定部３６は、カバー３２の内部側に位置する第１側壁３８と、カバーの外部側に位置する第２側壁４０と、第１側壁３８と第２側壁４０との間に配された底壁４２と、を備え、嵌合開始位置においてレバー１６の一部が第２側壁４０に当接することでレバー１６の回り止めが行われ、底壁４２は、結束バンド４４が挿通される一対のバンド挿通孔４６を有する。【選択図】図１
2020145023.tif 000002
【特許請求の範囲】
【請求項１】
電線と、ハウジングと、カバーと、レバーと、結束バンドと、を備えたレバー式コネクタであって、
前記レバーは、前記ハウジングに対して回動可能に取り付けられ、前記レバーは、嵌合開始位置と嵌合完了位置の間を回動可能とされ、
前記カバーは、前記ハウジングから引き出された前記電線をその引き出し方向とは異なる方向に曲げて導出させる電線導出部と、前記電線を前記電線導出部に固定させる電線固定部と、を備え、
前記電線固定部は、前記カバーの内部側に位置する第１側壁と、前記カバーの外部側に位置する第２側壁と、前記第１側壁と前記第２側壁の間に配された底壁と、を備え、
前記嵌合開始位置において前記レバーの一部が前記第２側壁に当接することで前記レバーの回り止めが行われ、
前記底壁は、前記結束バンドが挿通される一対のバンド挿通孔を有する、レバー式コネクタ。
【請求項２】
前記レバーは、一対のアーム部と、前記一対のアーム部の端部同士を連結する連結部と、を備え、
前記嵌合開始位置において前記一対のアーム部の側縁が前記第２側壁の両側部に当接する、請求項１に記載のレバー式コネクタ。
【請求項３】
前記レバーの前記連結部は、前記アーム部の先端部同士を連結する先端側連結部と、前記アーム部の基端部同士を連結する基端側連結部と、を備え、
前記先端側連結部は、前記嵌合完了位置において前記ハウジングの側方領域ではなく後方領域に配されている、請求項２に記載のレバー式コネクタ。
【請求項４】
前記レバーは、前記先端側連結部が前記ハウジングの後方領域ではなく側方領域に配される収納位置に回動可能とされている、請求項３に記載のレバー式コネクタ。
【発明の詳細な説明】
【技術分野】
【０００１】
本開示は、レバー式コネクタに関する。
【背景技術】
【０００２】
特許文献１には、コネクタハウジングと、電線カバーと、レバーと、を備えて構成されたレバー式コネクタが記載されている。レバーは、コネクタハウジングに回動可能に取り付けられている。レバーは、初期位置と嵌合位置との間で回動し得るようになっている。レバーは、初期位置にあるとき、上下方向に起立した姿勢をとり、嵌合位置にあるとき、前端側が後端側より高くなるように傾斜した姿勢をとる。
【０００３】
電線カバーは、コネクタハウジングの上面を覆うようにコネクタハウジングに取り付けられている。電線カバーは、その内部に導入された電線の向きを変えて外部へ導出する導出部を有している。電線カバーの導出部には、電線を固定するための結束バンドが装着されるバンド装着凹部が設けられている。バンド装着凹部は、電線カバーの導出部から電線の導出方向に突出して設けられている。バンド装着凹部は、電線カバーの内部側に位置する第１側壁と、電線カバーの外部側に位置する第２側壁と、を備えている。
【先行技術文献】
【特許文献】
【０００４】
【特許文献１】特開２０１８−０４５９３０号公報
【発明の概要】
【発明が解決しようとする課題】
【０００５】
上記のレバー式コネクタでは、初期位置においてレバーが第１側壁に当接することでレバーの回り止めが行われているため、バンド装着凹部がレバーの側縁から突出した姿勢となり、電線カバーが大型化する要因の一つとなっていた。
【課題を解決するための手段】
【０００６】
本開示のレバー式コネクタは、電線と、ハウジングと、カバーと、レバーと、結束バンドと、を備えたレバー式コネクタであって、前記レバーは、前記ハウジングに対して回動可能に取り付けられ、前記レバーは、嵌合開始位置と嵌合完了位置との間を回動可能とされ、前記カバーは、前記ハウジングから引き出された前記電線をその引き出し方向とは異なる方向に曲げて導出させる電線導出部と、前記電線を前記電線導出部に固定させる電線固定部と、を備え、前記電線固定部は、前記カバーの内部側に位置する第１側壁と、前記カバーの外部側に位置する第２側壁と、前記第１側壁と前記第２側壁との間に配された底壁と、を備え、前記嵌合開始位置において前記レバーの一部が前記第２側壁に当接することで前記レバーの回り止めが行われ、前記底壁は、前記結束バンドが挿通される一対のバンド挿通孔を有する。
【発明の効果】
【０００７】
カバーを小型化できる。
【図面の簡単な説明】
【０００８】
【図１】図１は、実施形態におけるレバー式コネクタの後方斜視図であって、レバーが嵌合開始位置に位置する状態を説明する図である。
【図２】図２は、レバーが嵌合開始位置に位置する状態におけるレバー式コネクタの背面図である。
【図３】図３は、レバーが嵌合完了位置に位置する状態におけるレバー式コネクタの後方斜視図である。
【図４】図４は、レバーが嵌合開始位置に位置する状態におけるレバー式コネクタの側面図である。
【図５】図５は、レバーが嵌合完了位置に位置する状態におけるレバー式コネクタの側面図である。
【図６】図６は、レバーが収納位置に位置する状態におけるレバー式コネクタの側面図である。
【図７】図７は、収納位置においてカバーを取り外した状態におけるレバー式コネクタの側面図である。
【発明を実施するための形態】
【０００９】
［本開示の実施形態の説明］
最初に本開示の実施態様を列記して説明する。
（１）本開示のレバー式コネクタは、電線と、ハウジングと、カバーと、レバーと、結束バンドと、を備えたレバー式コネクタであって、前記レバーは、前記ハウジングに対して回動可能に取り付けられ、前記レバーは、嵌合開始位置と嵌合完了位置との間を回動可能とされ、前記カバーは、前記ハウジングから引き出された前記電線をその引き出し方向とは異なる方向に曲げて導出させる電線導出部と、前記電線を前記電線導出部に固定させる電線固定部と、を備え、前記電線固定部は、前記カバーの内部側に位置する第１側壁と、前記カバーの外部側に位置する第２側壁と、前記第１側壁と前記第２側壁との間に配された底壁と、を備え、前記嵌合開始位置において前記レバーの一部が前記第２側壁に当接することで前記レバーの回り止めが行われ、前記底壁は、前記結束バンドが挿通される一対のバンド挿通孔を有する。
レバーが嵌合完了位置から嵌合開始位置に回動されると、レバーの一部が第２側壁に当接することでレバーの回り止めが行われる。嵌合開始位置において電線固定部はレバーから突出していないため、その分だけカバーを小型化できる。
電線固定部に結束バンドを巻き付ける溝を形成しようとすると、溝の外周側に底壁が残らないため、電線固定部の強度低下の一因となる。電線固定部にバンド挿通孔を設けることなく、外周にそのまま結束バンドを巻いてしまうと、レバーを嵌合開始位置に回動させる際にレバーと結束バンドが接触し、嵌合作業性の低下が懸念される。レバーと結束バンドを接触させないためには電線固定部を細くする必要があり、電線固定部の強度が低下してしまう。そこで、電線固定部に一対のバンド挿通孔を設けるようにすれば、少なくともバンド挿通孔の周囲に底壁が残り、電線固定部を細くしなくてよいため、電線固定部の強度低下を回避できる。
【００１０】
（２）前記レバーは、一対のアーム部と、前記一対のアーム部の端部同士を連結する連結部と、を備え、前記嵌合開始位置において前記一対のアーム部の側縁が前記第２側壁の両側部に当接する構成とすることが好ましい。
一対のアーム部の側縁が第２側壁の両側部に当接するから、レバーの回り止めを確実に行うことができる。
【００１１】
（３）前記レバーの前記連結部は、前記アーム部の先端部同士を連結する先端側連結部と、前記アーム部の基端部同士を連結する基端側連結部と、を備え、前記先端側連結部は、前記嵌合完了位置において前記ハウジングの側方領域ではなく後方領域に配されている構成とすることが好ましい。
先端側連結部がハウジングの側方領域に配されていないため、例えば一対のレバー式コネクタを左右対称に近づけて配置し、先端側連結部同士が近づくようにレバーを回動させた際に、先端側連結部同士が干渉することを回避できる。
【００１２】
（４）前記レバーは、前記先端側連結部が前記ハウジングの後方領域ではなく側方領域に配される収納位置に回動可能とされている構成とすることが好ましい。
先端側連結部がハウジング後方領域に配されていないため、例えば端子をハウジングの内部に挿入する際に、先端側連結部が邪魔にならず、レバーをハウジングに組み付けた状態で端子をハウジングの内部に挿入できる。
【００１３】
［本開示の実施形態の詳細］
本開示のレバー式コネクタの具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００１４】
図１、図２に示すように、本実施形態のレバー式コネクタ１０は、ハウジング１４と、ハウジング１４に回動可能に取り付けられるレバー１６と、を備えている。図３に示すように、ハウジング１４は相手側ハウジング１２に嵌合される。ここで、ハウジング１４および相手側ハウジング１２の嵌合離脱方向は前後方向とされ、互いの嵌合面側を前側とする。
【００１５】
図３に示すように、相手側ハウジング１２は、第１フード部１８と、第２フード部２０と、を備えている。第１フード部１８の内部にはハウジング１４が嵌合される。第２フード部２０の内部にはハウジング１４とは異なる他のハウジング（図示せず）が嵌合される。第１フード部１８の外周面および第２フード部２０の外周面には、複数の突起部２２が外方に突出して設けられている。
【００１６】
図１に示すように、ハウジング１４は直方体状をなしており、ハウジング１４には複数のキャビティが前後方向に開口して設けられている。複数のキャビティには図示しない複数の端子がそれぞれ収容されている。複数の端子にはそれぞれ電線２４が接続されており、図２に示すように、電線２４はキャビティから後方（図２のＤ１の矢線が示す方向）に引き出された後、その引き出し方向とは異なる方向に曲げられて側方（図１のＤ２の矢線が示す方向）に引き出されている。ここで、図４から図７に示すように、ハウジング１４の嵌合方向後方における領域は後方領域Ｒ１とされる。また、ハウジング１４における側方（図４から図７のＳの矢線が示す方向）の領域は側方領域Ｒ２とされる。
【００１７】
ハウジング１４の両側面には板状をなす一対のスライダ２６が装着されており、図４においては手前側のスライダ２６のみが図示されている。スライダ２６は、レバー１６の回動に伴って側方にスライド可能とされる。
【００１８】
図１に示すように、レバー１６は、一対のアーム部２８と、一対の連結部３０Ａ、３０Ｂと、を備えている。一対のアーム部２８は、ハウジング１４の両側部に回動可能に取り付けられている。一対の連結部３０Ａ、３０Ｂは、一対のアーム部２８の先端部同士を連結する先端側連結部３０Ａと、一対のアーム部２８の基端部同士を連結する基端側連結部３０Ｂとを備えて構成されている。
【００１９】
レバー１６は、嵌合開始位置（図１、図４に示すレバー１６の位置）と嵌合完了位置（図３、図５に示すレバー１６の位置）との間を回動可能とされている。また、端子（図示せず）がハウジング１４のキャビティに挿入される作業は、レバー１６が収納位置（図６、図７に示すレバー１６の位置）に位置し、且つカバー３２がハウジング１４から取り外された状態（図７に示す状態）で行われる。また、レバー１６は、収納位置に位置した状態で納入先に出荷される。
【００２０】
嵌合開始位置は、ハウジング１４が相手側ハウジング１２に嵌合される前の状態におけるレバー１６の位置とされる。ハウジング１４には、嵌合開始位置においてハウジング１４が相手側ハウジング１２に収容される前にレバー１６が嵌合完了位置に向けて回動することを抑制するロック部（図示せず）が設けられている。ハウジング１４が相手側ハウジング１２における第１フード部１８内に収容されるとレバー１６のロック部が解除され、レバー１６は嵌合完了位置に向けて回動可能となる。
【００２１】
嵌合完了位置は、ハウジング１４が相手側ハウジング１２に嵌合された後の状態におけるレバー１６の位置とされる。ここで、一対のスライダ２６における内面（図示せず）には、相手側ハウジング１２における突起部２２が入り込むガイド溝（図示せず）が設けられている。ハウジング１４が相手側ハウジング１２における第１フード部１８内に収容された状態でレバー１６が嵌合開始位置から嵌合完了位置に向けて回動すると、スライダ２６は側方に変位する。このとき、第１フード部１８における突起部２２がスライダ２６におけるガイド溝（図示せず）の内壁と摺動しつつ、ハウジング１４は第１フード部１８の内部に案内される。レバー１６が嵌合完了位置に到達すると、ハウジング１４の嵌合操作は完了となる。
【００２２】
図５に示すように、嵌合完了位置においてレバー１６の先端側連結部３０Ａは、ハウジング１４における側方領域Ｒ２ではなく後方領域Ｒ１に配されている。これにより、嵌合完了位置においてレバーの先端側連結部が側方領域に配される構成と比較して、相手側ハウジング１２を小型化できる。すなわち、嵌合完了位置においてレバーの先端側連結部が後方領域Ｒ１ではなく側方領域Ｒ２に配される場合、レバーの先端側連結部が第２フード部側に嵌合される他のレバー式コネクタ（図示せず）に干渉しないように、第１フード部と第２フード部との間の距離を長くとる必要がある。このため、相手側ハウジングが大型化することとなる。したがって、本実施形態の構成とすることで、第１フード部１８と第２フード部２０との間の距離を短く設定でき、相手側ハウジング１２を小型化できる。
【００２３】
図６、図７に示すように、レバー１６が収納位置に位置する状態において、レバー１６における先端側連結部３０Ａは、後方領域Ｒ１ではなく側方領域Ｒ２に配されている。これにより、カバー３２がハウジング１４から取り外された状態（図７に示す状態）で端子がキャビティに後方から挿入される際に、端子が先端側連結部３０Ａに干渉することが抑制される。したがって、レバー１６がハウジング１４に組み付けられた状態で端子をハウジング１４のキャビティに挿入できる。
【００２４】
図１に示すように、カバー３２はハウジング１４を後方から覆うようにハウジング１４に取り付けられている。カバー３２の後端部には電線導出部３４が設けられている。電線導出部３４は側方に開口しつつハウジング１４と対向している。電線２４は電線導出部３４からカバー３２の外部に導出される。
【００２５】
図１、図３に示すように、電線導出部３４の外周側には、電線２４を電線導出部３４に固定させる電線固定部３６が設けられている。
【００２６】
図５に示すように、電線固定部３６は、第１側壁３８と、第２側壁４０と、底壁４２とを備えている。第２側壁４０はカバー３２の側端側（外部側）に位置しており、第１側壁３８は、カバー３２の内部側に位置している。底壁４２は、カバー３２の外面に周設される第１側壁３８と、第１側壁３８と第２側壁４０との間に配されている。
【００２７】
図１、図３に示すように、底壁４２における両側部には結束バンド４４が挿通される一対のバンド挿通孔４６が開口して設けられている。電線２４は、一対のバンド挿通孔４６に挿通された結束バンド４４に結束されることにより、電線固定部３６に固定されている。このようなバンド挿通孔４６を設けることによって、電線固定部に結束バンドを巻き付ける溝を形成する構成と比較して、電線固定部３６の強度が低下することを抑制できる。すなわち、電線固定部に結束バンドを巻き付ける溝を形成する場合、溝の外周側に底壁が残らないため、電線固定部の強度低下の一因となる。一方、本実施形態のように電線固定部３６に一対のバンド挿通孔４６を設けるようにすれば、少なくともバンド挿通孔４６の周囲に底壁４２が残るため、電線固定部３６の強度低下を回避できる。
【００２８】
図３に示すように、第１側壁３８における幅Ｗ１は、レバー１６における一対のアーム部２８間の長さＬよりも短く設定されており、第２側壁４０における幅Ｗ２は、一対のアーム部２８間の長さＬよりも長く設定されている。これにより、レバー１６が嵌合開始位置から嵌合完了位置に向かう方向と逆方向（図４のＤ３の矢線が示す方向）に回動されると、アーム部２８における側縁２８Ａは第１側壁３８に接触することなく、第２側壁４０における両側部４０Ａに接触する。したがって、レバー１６の回り止めを第２側壁４０において確実に行うことができる。また、レバーが第１側壁の位置で回り止めされる構成と比較して、電線固定部３６のＤ２方向の長さ分だけカバー３２を小型化できる。
【００２９】
＜他の実施形態＞
（１）上記実施形態では、図６、図７に示すように、収納位置において、レバー１６は先端側連結部３０Ａがハウジング１４の図示左側の側方領域Ｒ２に配される構成としたが、例えば、図示右側の側方領域に配される構成としても良い。
（２）上記実施形態では、レバー１６は一対のアーム部２８を備える構成としたが、例えば、アーム部は一つである構成としても良い。
（３）上記実施形態では、電線固定部３６は、ハウジング１４の側端よりも側方に突出して設けられている構成としたが、側方に突出していない構成としても良い。例えば、第２側壁がハウジング１４の側端に設けられることで、さらなるカバーの小型化を図る構成としても良い。
【符号の説明】
【００３０】
１０：レバー式コネクタ
１２：相手側ハウジング
１４：ハウジング
１６：レバー
１８：第１フード部
２０：第２フード部
２２：突起部
２４：電線
２６：スライダ
２８：アーム部
２８Ａ：側縁
３０Ａ：先端側連結部
３０Ｂ：基端側連結部
３２：カバー
３４：電線導出部
３６：電線固定部
３８：第１側壁
４０：第２側壁
４０Ａ：側部
４２：底壁
４４：結束バンド
４６：バンド挿通孔
Ｌ：長さ
Ｒ１：後方領域
Ｒ２：側方領域
Ｗ１、Ｗ２：幅
【図１】
2020145023.tif 000003
【図２】
2020145023.tif 000004
【図３】
2020145023.tif 000005
【図４】
2020145023.tif 000006
【図５】
2020145023.tif 000007
【図６】
2020145023.tif 000008
【図７】
2020145023.tif 000009